(57)【特許請求の範囲】
【請求項１】
植物種オオギバショウ（Ｒａｖｅｎａｌａ  ｍａｄａｇａｓｃａｒｉｅｎｓｉｓ）の種子の仮種皮から得られる、青色の着色されたワックスの形態の植物由来の染料であって、
液体媒体の存在下で、前記ワックスが前記仮種皮から放出され前記液体媒体によって前記ワックスが抽出されるように、前記仮種皮における植物組織が少なくとも部分的にホモジナイズされるステップを前記仮種皮が受ける方法によって得られ、
前記ホモジナイズが、少なくとも１種の外部エネルギー源によって実行され、マグネチックスターラ、ホモジナイザー、又はミルを使用する、或いは、超音波の影響下で実行され、
前記液体媒体が、アルカリ水溶液、アセトン、酢酸エチル、植物精油、及び液体アルカンから選択される、化粧用の染料。
【請求項２】
前記方法が、セルロースベースの残留物の少なくとも一部から、前記ワックスを遊離することを意図した濾過ステップも含む、請求項１に記載の染料。
【請求項３】
前記液体媒体が、アセトンである、請求項１又は２に記載の染料。
【請求項４】
前記方法が、前記液体媒体の冷却により前記着色された前記ワックスが沈殿するステップを含む、請求項１〜３のいずれか一項に記載の染料。
【請求項５】
前記液体媒体が、鹸化された形態の前記ワックス、及び着色された構造体を含む、着色された塩基性溶液を回収するために、前記ワックスを鹸化することを可能にするアルカリ性水性媒体である、請求項１〜４のいずれか一項に記載の染料。
【請求項６】
前記方法が、前記ワックスの凝結を引き起こすために、酸性溶液によって前記着色された塩基性溶液を洗浄するステップも含む、請求項５に記載の染料。
【請求項７】
請求項１〜６のいずれか一項に定義された染料の分散系を含む、着色された組成物。
【請求項８】
皮膚又は体表成長部をメーキャップすることを意図した化粧品組成物である、請求項７に記載の組成物。
【請求項９】
美容液、化粧水、手入れ用クリーム、乳液、美顔用パック、ヒドロゲル、マスカラ、ファンデーション、アイシャドー、アイライナー、口紅、又は美容パッチである、請求項８に記載の組成物。
【請求項１０】
請求項７〜９のいずれか一項に記載の組成物の、皮膚又は体表成長部の少なくとも一部への適用を含む、皮膚、体表成長部、まつげ、毛髪、又は爪をメーキャップする方法。
【発明の詳細な説明】
【技術分野】
【０００１】
本発明の主題は、植物由来の新規の染料、及び、組成物、特に化粧品組成物を着色するための上記染料の使用である。
【０００２】
本発明は、皮膚又は体表成長部をメーキャップすることを特に意図した、着色された化粧品組成物の調製にとりわけ適用される。本発明はまた、食品分野、薬剤分野、インク、染料製品、塗料、並びにグラフィックアート分野及び装飾分野全般において適用可能な製品などの、その他の産業分野のためのいずれのタイプの着色された組成物にも適用される。
【背景技術】
【０００３】
用語「色素」は、色素が着色する媒体中で不溶である、着色する物質を一般に意味する。
【０００４】
一般に、化粧品分野において２つのタイプの色素が使用される。
【０００５】
より具体的には、特に植物、動物、又は鉱物由来の色素は、媒体、例えば化粧品組成物中に分散されるとき、入射光のある一定の波長の選択的な吸収によって着色効果を引き起こし、化粧品分野において、とりわけメーキャップのために使用される。
【０００６】
植物由来の色素の中で、インドアイ（Ｉｎｄｉｇｏｆｅｒａ  ｓｕｆｆｒｕｔｉｃｏｓａ）又はタイワンコマツナギ（Ｉｎｄｉｇｏｆｅｒａ  ｔｉｎｃｔｏｒｉａ）の葉の発酵によって得られる抽出可能な着色物質であるインディゴが挙げられる。
【０００７】
インディゴは、水及びアルコール中で実質的に不溶であることに注目すべきである。
【０００８】
金属カチオンで場合によって改変されたアントシアンタイプの化合物も挙げられる。
【０００９】
媒体中で分散されるこれらの色素によって誘発される着色効果は、これらの化合物による入射光のある一定の波長の選択的な吸収の現象によって引き起こされる。
【００１０】
吸収された光を補足する光は、材料によって散乱され、材料の色を決定する。
【００１１】
このように生成された色は、「色素色」としばしば呼ばれる。
【００１２】
これらの色素は、多くの産業分野、例えばインク又は塗料の分野のみならず、化粧品産業、特にメーキャップ製品のための調製にも広く使用される。
【００１３】
インターネットｈｔｔｐ：／／ｗｗｗ．２００６．ｂｏｔａｎｙｃｏｎｆｅｒｅｎｃｅ．ｏｒｇ／ｅｎｇｉｎｅ／ｓｅａｒｃｈ／ｉｎｄｅｘ．ｐｈｐ上で抜粋の形態で入手可能な、２００６年７月２８日のＢｏｔａｎｙ  ２００６に発表された「ゴクラクチョウ科（Ｓｔｒｅｌｉｔｚｉａｃｅａｅ）の仮種皮構造及び色素（Ａｒｉｌ  Ｓｔｒｕｃｔｕｒｅ  ａｎｄ  ｐｉｇｍｅｎｔｓ  ｉｎ  ｔｈｅ  Ｓｔｒｅｌｉｔｚｉａｃｅａｅ）」（要約ｉｄ：５６４）と題されたＣａｒｙ  Ｐｉｒｏｎｅによる論文は、化学構造がまだ確認されていない植物オオギバショウ（Ｒａｖｅｎａｌａ  ｍａｄａｇａｓｃａｒｉｅｎｓｉｓ）から抽出された色素に関する。
【００１４】
しかし、色素は、色が青色のタンパク質の色素生成複合体であると確認された。
【００１５】
同じ著者Ｃａｒｙ  Ｐｉｒｏｎｅによる第２の論文は、２００７年７月７日のＢｏｔａｎｙ  Ｉｎｔｅｒｂｉｏｌｏｇｙ  ２００７に発表され、抜粋はインターネットｈｔｔｐ：／／ｗｗｗ．２００７．ｂｏｔａｎｙｃｏｎｆｅｒｅｎｃｅ．ｏｒｇ／ｅｎｇｉｎｅ／ｓｅａｒｃｈ／ｉｎｄｅｘ．ｐｈｐで入手可能である。
【００１６】
この場合、より具体的には、研究がＰ．ギアネンセ（Ｐ．Ｇｕａｙａｎｅｎｓｅ）及びＳ．ニコライ（Ｓ．Ｎｉｃｏｌａｉ）中に見出されたオレンジ色及び黄色の２種類の珍しい色素の確認、すなわち質量分析及びＮＭＲによって確認された色素の化学構造に関することが、示されている。
【００１７】
Ｄａｔａｂａｓｅ  ＷＰＩ  Ｗｅｅｋ２００７４１中の要約、参考文献ＡＮ２００７−４２７９２３は、食品添加物、化粧品、医薬品、及びインクとして使用可能である、アルコール系有機溶媒、脂肪族ケトン等をチョウマメ（Ｃｌｉｔｏｒｉａ  ｔｅｒｎａｔｅａ）の花の抽出物に添加して抽出することによって得られる青色の色素に関する、東洋インキ製造株式会社からの日本の特許出願ＪＰ２００７１１２９３１に関する。
【００１８】
さらに、Ｄａｔａｂａｓｅ  ＷＰＩ  Ｗｅｅｋ２００８、ＡＮ２００８−Ｍ１３７９３中に参照される「リコペンの急速抽出方法（Ｍｅｔｈｏｄ  ｆｏｒ  ｆａｓｔ  ｅｘｔｒａｃｔｉｎｇ  ｌｙｃｏｐｅｎｅ）」と題されたＬｉａｎｆｕ  Ｚｈａｎｇによる論文は、リコペンの抽出のための、２００８年２月１３日に発表された江南大学からの特許出願ＣＮ１０１１２１６３１に関する。
【００１９】
さらに、Ｄａｔａｂａｓｅ  ＷＰＩに発表された要約、参考文献ＡＮ２００３−８５７７８０は、皮膚接触アレルギー特性を有せず、顕著に改善したｐＨ安定範囲、優秀な熱安定性、及び濾過性を有し、化粧品組成物のための染料製品として使用される、紫根から抽出された新規の色素誘導体に関する、一丸ファルコス株式会社からの出願ＪＰ２００３／２７７６４１に関する。紫根の色素誘導体は、アルミニウム、鉄、マグネシウム、亜鉛、銅、及びマンガンから選択される金属のイオン、ジカルボン酸化合物、並びに植物タンパク質加水分解物を含む溶液を添加することによって形成される複合体であることが特定されている（この文書の要約を参照されたい）。
【００２０】
さらに、ＥＰ１１９１０７１の文書は、アントシアニン着色剤、及び有機物からの上記着色剤の生成方法に関する。
【００２１】
最後に、国際公開第２００８／１２９２１５号パンフレット（Ｄｉａｎａ  Ｎａｔｕｒａｌｓ）の文書は、アントシアニン系の改変された着色剤を含む着色食品組成物及びこれらの着色剤の深色性改変のための方法に関する。
【００２２】
化粧品分野において、真珠層からなる天然又は合成由来の第２のタイプの色素も、取得可能である。この第２のタイプの色素は、色の生成が、この場合、真珠層の表面に反射した光の波動干渉現象に関連するので、組成物上に着色する異なるメカニズムを通じて作用する。
【００２３】
この他の色の生成様式は、化学物質による光の吸収のメカニズムではなく、観察対象の表面に存在する構造体上に反射する光の波動干渉現象に関連する。
【００２４】
したがって、これらの表面構造体は、観察の角度、又は照明光の入射角に従って変化する色を特徴とする、玉虫色と呼ばれる着色効果を生み出す。
【００２５】
これらの色は、色素の色とは異なり、しばしば「構造色」という用語で表される。
【００２６】
この第２の色の生成様式は、多くの動物種、特に昆虫及び鳥の中に存在する。
【００２７】
例として、鳥の羽又は蝶の翅のある一定の色が挙げられる。
【００２８】
しかし、構造色は、動物界にかなり頻繁に存在するが、植物の世界では非常に稀であり、ごく最近になってようやく、限られた数の植物種において検出された。
【００２９】
したがって、いくつかの稀な植物種における、干渉により生成される色の発見によって、研究者らは、植物の世界に由来する色を見直すことになり、かかる玉虫色の着色剤を開発することにおいて、植物が生態学的に有利ではないかと考えるようになった（Ｌｅｅら、Ｎａｔｕｒｅ、１９７５年、２４４５号、５０〜５１頁）。
【００３０】
玉虫色現象、及び玉虫色現象に関与する構造体は、現在、完全には解明されていないとしても、「イリジソーム（ｉｒｉｄｉｓｏｍｅ）」と一般に呼ばれる超微細構造体は、生成物の表面での光の干渉現象から引き起こされる生成物の着色される効果に関与していると確証することは可能であった。
【００３１】
いくつかの細胞組織がイリジソームを含む植物種の中で、ゴクラクチョウ科の植物種、特に植物種オオギバショウ、ホルトノキ（Ｅｌａｅｏｃａｒｐａｃｅａｅ）科の植物種、例えばインドジュズノキ（Ｅｌａｅｏｃａｒｐｕｓ  ａｎｇｕｓｔｉｆｏｌｉｕｓ  Ｂｌｕｍｅ）、ウコギ（Ａｒｒａｌｉａｃｅａｅ）科の植物種、特に植物種デラルブレアミキエアナ（Ｄｅｌａｒｂｒｅａ  ｍｉｃｈｉｅａｎａ）、リュウビンタイ（Ｍａｒａｔｔｉａｃｅａｅ）科の植物種、特に植物種ダナエアノドサ（Ｄａｎａｅａ  ｎｏｄｏｓａ）、コケシノブ（Ｈｙｍｅｎｏｐｈｙｌｌａｃｅａｅ）科の植物種、特に植物種トリコマネスエレガンス（Ｔｒｉｃｈｏｍａｎｅｓ  ｅｌｅｇａｎｓ）、イワヒバ（Ｓｅｌａｇｉｎｅｌｌａ）属の植物種の中の植物種、例えばグリーンファン（Ｓｅｌａｇｉｎｅｌｌａ  ｗｉｌｌｄｅｎｏｗｉｉ）、イワデシダ（Ａｔｈｙｒｉａｃｅａｅ）科の植物種、特に植物種ディプラジウムトメントスム（Ｄｉｐｌａｚｉｕｍ  ｔｏｍｅｎｔｏｓｕｍ）、ホングウシダ（Ｌｉｎｄｓａｅａｃｅａｅ）科の植物種、特に植物種ヤエヤマホングウシダ（Ｌｉｎｄｓａｅａ  ｌｕｃｉｄａ）、シュウカイドウ（Ｂｅｇｏｎｉａｃｅａｅ）科の植物種、特に植物種ベゴニアパボニア（Ｂｅｇｏｎｉａ  ｐａｖｏｎｉｎａ）、メラストラタケアエ（Ｍｅｌａｓｔｏｌａｔａｃｅａｅ）科の植物種、特に植物種ピュッラガティスロトゥンディフォリア（Ｐｈｙｌｌａｇａｔｈｉｓ  ｒｏｔｕｎｄｉｆｏｌｉａ）が挙げられる。
【００３２】
研究者らは、オーストラリア産の植物種デラルブレアミキエアナ（Ｄｅｌａｒｂｒｅａ  ｍｉｃｈｅａｎａ）の果実の表皮細胞中のかかる超微細構造体を確認し、研究した（Ｌｅｅ  ＤＷら、Ｉｎｔ．Ｊ．Ｐｌａｎｔ  Ｓｃｉ、２０００年、１６１巻（２号）、２９７〜３００頁）。
【００３３】
著者らは、「建設的」干渉現象によって引き起こされる着色の仮説を提唱した。
【００３４】
この干渉現象は、セルロースベース複合体多層構造の形態である植物の表皮の表面細胞の領域によって引き起こされる。
【００３５】
したがって、植物によって引き起こされる視覚効果は、光干渉のメカニズムに関与するこれらの多層の厚さ次第であり、上記厚さは、数十ナノメータと推定される。
【００３６】
デラルブレアミキエアナ種の場合、これらの超微細構造体は、植物の表皮の細胞、すなわち外部環境に近接した領域内に位置し、およそ７５ｎｍと推定される厚さを有する。
【００３７】
超微細構造体は、まだ完全には特徴づけられていないが、植物によって引き起こされる着色される効果に関与する、これらの植物の超微細構造体は、水和セルロースの薄い層及び／又はセルロース線維のらせん配置からなり、この場合、超微細構造体の空間分布に起因する、観察の角度に無関係な均質な着色される効果を生み出すと思われる。
【００３８】
構造的な色素としてのかかる植物の超微細構造体の使用が、抽出可能な、精製された分子又は凝集体の形態の着色剤又は色素を使用する従来の着色する方法に対する代替になり得るほど、このように得られた色及び色合いは独創的である。
【００３９】
しかし、着色される効果が、抽出方法の実施の間に分解することが可能な巨大分子の脆弱な配置から生じるという事実のために、着色される色素としてのこれらの植物の超微細構造体の使用は、現在まで全く想定されなかった。
【発明の概要】
【発明が解決しようとする課題】
【００４０】
本発明の主な目的は、植物の超微細構造体を変性させることなく含む着色された植物材料から染料を提供することである。
【００４１】
本発明の第２の主な目的は、本質的に、処理された植物の着色された部分の色である色を、化粧品組成物に与える目的で、組成物、特に化粧品組成物に植物の超微細構造体を組み込むなどの方法で、植物の超微細構造体を変性させることなく含む着色された植物材料から染料を提供することである。
【００４２】
本発明の第３の主な目的は、植物の超微細構造体を変性させることなく含む着色された植物材料からのこの染料の、信頼のおける、再現性のある、及び安価な生成のための方法を提供することである。
【００４３】
本発明は、化粧品産業分野で使用できる、予想外の、安全な、及び信頼のおける方法で、これらの技術的な問題を初めて解決することを可能にする。
【課題を解決するための手段】
【００４４】
全く驚いたことに、本発明の発明者らは、これらの植物の超微細構造体を含む植物組織から、以下「本発明の染料」と称する、着色された生成物を抽出することに成功し、着色された生成物の非常に鮮明な色は、処理される植物の着色された部分の色である。
【００４５】
用語「本発明の染料」は、色を抽出することが望まれる植物組織の抽出後に得られる着色された生成物を意味する。この着色された生成物は、処理される植物組織の特徴的な色を有し、上記色は、上に開示された通り、植物の超微細構造体、又は「イリジソーム」の存在に関連している。
【００４６】
電子顕微鏡法又はＸ線蛍光分光法などの技術によって、これらの超微細構造体を確認する可能性に加えて、当業者は、視覚でのモニタリングによって、着色に関与するこれらの超微細構造体が分解しないことを確認することができる。
【００４７】
したがって、本発明の染料は、この染料の本質的な部分を構成し、着色される効果に直接関与する植物の超微細構造体を含む。しかし、この染料は、イリジソームと同時に植物から抽出される、「補助的分画」或いは「補助的部分」と名付けられた分画も含むことができ、この分画は、本発明の染料が抽出される植物によって多様な性質である可能性がある。着色される効果に直接寄与しないこの補助的分画は、担体、支持体、又は安定剤の役割を果たすことができ、着色された組成物の調製の間に除去する必要がない。この補助的分画の存在が、本発明の染料の取り扱いを容易にし、又は、有用な補足効果、例えば染料が着色するために添加される組成物の手触りを向上させるための効果を本発明の染料に与えることが、実際に発見されることがある。
【００４８】
抽出された染料の構造的な性質決定の結果を予測しようとは望まないが、本発明の生成物の着色が、本発明の染料中に結果的に含まれるイリジソーム中に存在する植物の超微細構造体の非変性に関連すると、今回は明らかに思われる。
【００４９】
このように、本発明の発明者らは、植物の超微細構造体を変性させることなく含む着色された植物材料から染料を抽出し、処理される植物の着色された部分の色である色を組成物に与える目的で、組成物にこの植物の超微細構造体を組み込むことができた。
【００５０】
したがって、イリジソームを含む着色された植物材料から本発明の染料を抽出することによって、化粧品組成物、薬剤、食品、インク、染料製品、塗料、並びにグラフィックアート分野及び装飾分野全般で適用可能な製品など、多様なタイプの組成物を着色するための革新的な技術を実施することが可能になる。
【００５１】
このようにして得られた染料は、染料が導入される組成物に新規の色合いを生み出すことができる。
【００５２】
これらの染料は、染料が分散される組成物、特に化粧品組成物の固有の質が保存されるという付加的な保証を与える、安定性及び無害性をさらに示す。
【００５３】
最後に、染料は、水及び通常使用される全ての溶媒中で不溶であり、化粧品組成物中で通常使用される非水系アジュバントと両立し、それによって、化粧品組成物中に分散される着色される色素としての使用を特に有利にする。
【００５４】
したがって、本発明は、着色された植物抽出物に関するものであり、上記抽出物は、それ自体がイリジソームを含む着色された細胞組織によって形成される又はその細胞組織を含む、植物材料から得られる。
【００５５】
より具体的には、本発明は、染料の着色される及び着色の質が、本発明の発明者らが、分解させることなく植物材料の着色に関与する構造体を抽出し、その結果、特に化粧品分野において、色素として使用できる安定した着色された生成物を生み出す方法を開発することができたという事実のおかげである新規の染料に関する。
【００５６】
本発明は、この植物由来の染料を、変性させることなく抽出するために使用される方法にも関する。
【００５７】
本発明は、かかる染料を含む、特にメーキャップを意図した化粧品組成物にも関する。
【００５８】
本発明は、組成物、特に、メーキャップを特に意図した化粧品組成物を着色する方法にも関する。
【００５９】
本発明は、かかる染料を含む化粧品組成物の適用を含むメーキャップ方法にも関する。
【発明を実施するための形態】
【００６０】
より具体的には、第１主題によると、本発明は、植物種の着色された部分から得られる植物由来の染料であって、植物種の着色された部分の細胞組織が上記部分の着色に関与するイリジソームを含む染料に関する。この染料は、ワックス状、固体、又は糊状の形態であり得る。青色の染料を得る場合、後者が植物種オオギバショウの仮種皮から得られることは有利である。
【００６１】
第２主題によると、本発明は、第１主題の植物由来の染料の分散系を含む着色された組成物、特に化粧品組成物、特に皮膚又は体表成長部をメーキャップすることを意図した着色する化粧品組成物に関する。
【００６２】
第３主題によると、本発明は、第１主題の植物由来の染料を抽出する方法に関する。
【００６３】
第４主題によると、本発明は、本発明の第１主題の、又は本発明の第３主題の方法によって得られる、少なくとも１種の染料の組成物への導入を含む、着色された又は着色する上記組成物、特に化粧品組成物を調製する方法に関する。
【００６４】
第５主題によると、本発明は、第２主題の、又は第４主題によって調製された、又は第３主題の染料を含む、化粧品組成物の皮膚又は体表成長部の少なくとも一部への適用を含む、皮膚、又はまつげ、毛髪、若しくは爪などの体表成長部をメーキャップする方法に関する。
【００６５】
これらの全ての態様の特に有利な変形形態によると、本発明の染料が調製される植物材料は、植物種オオギバショウの種子の仮種皮からなる。
【００６６】
着色された又は着色する化粧品組成物に適用可能である、上に定義された本発明の第２及び第４主題は、薬剤、食品、インク、染料製品、塗料、並びにグラフィックアート分野及び装飾分野全般に適用可能な製品などの多くのその他の分野の組成物に、当業者にとって困難なく適用できることが、理解される。
【００６７】
本発明のその他の特徴及び利点は、以下の詳細な説明及びそれに続く実施例を読んだ時点で明白になる。
【００６８】
以前に開示された通り、本発明は、植物種の着色された部分から染料を調製することが可能であったが、植物種の着色された部分の細胞組織は、植物種のこの部分の着色に関与するイリジソームを含むという、本発明者らによる発見から生じる。
【００６９】
以前に開示された通り、本発明の染料が抽出される植物の着色に関与するイリジソームは、特に脆弱な超微細構造体からなることが知られている。したがって、本発明の染料の取得は、イリジソームの構造が尊重される特に穏やかな方法の実施を必要とする。
【００７０】
この趣旨で、イリジソームを含む細胞組織中に含まれる植物細胞が、着色された生成物を放出し、液体媒体によって着色された生成物を抽出するために、この液体媒体の存在下で、少なくとも部分的にホモジナイズされるステップを、着色に関与するイリジソームを含む植物種の部分に受けさせることが特に有利であることが、本発明の発明者らにとって明白になった。
【００７１】
これらのイリジソームによる着色される効果の生成は、上記イリジソームが、イリジソームが着色される効果を生み出す植物又は植物の部分の細胞組織中の同じイリジソームの構造と比較して、不変である、抽出後の構造を有することを必要とするように思われる。
【００７２】
イリジソームが収集される液体媒体中に存在するイリジソームは、非変性で、機能的な状態を保持した場合、これらの構造体が抽出される細胞組織の着色に近い着色、又は同一の着色を生み出す。
【００７３】
植物細胞を少なくとも部分的にホモジナイズするために、少なくとも１種の外部エネルギー源が使用されることは、有利である。
【００７４】
本発明の特に有利な一変形形態によると、植物細胞の少なくとも部分的なホモジナイズは、少なくとも１種の外部エネルギー源によって、特に機械的な撹拌、例えばマグネチックスターラ、ホモジナイザー、又はミルを使用することによって実行される。
【００７５】
本発明の特に有利な別の変形形態によると、植物細胞の少なくとも部分的なホモジナイズは、液体媒体の存在下、超音波の影響下で実行される。
【００７６】
超音波の使用は、本発明の文脈において、特に効果的であることが判明した。
【００７７】
具体的には、液体中での超音波の影響下、よく知られた空洞化効果を通じて、微小気泡が形成する。
【００７８】
これらの微小気泡は、超音波によってパルスを発し、結果として臨界サイズまで成長し、その後、微小気泡は内破し、次に、この崩壊の間、衝撃波の形態でエネルギーを保持する。
【００７９】
通例の試験において、特に抽出される液体の色を制御することによって、超音波の周波数を調整するのは、当業者にとって難しくない。もちろん、最適周波数は、処理される植物材料次第である。
【００８０】
したがって、本発明によって使用される好ましい植物材料、すなわちオオギバショウの種子の仮種皮の場合、約２７ｋＨｚの周波数が選択されることが好ましい。
【００８１】
植物細胞をより効果的にホモジナイズするために、超音波の適用と組み合わせた機械的な撹拌を、植物材料に受けさせることも可能である。
【００８２】
超音波又は植物細胞の少なくとも部分的なホモジナイズのその他のいずれかの手段の適用の目的は、着色された生成物を放出するために、着色に関与する超微細構造体を変性させることなく放出することである。
【００８３】
液体媒体は、放出された構造体をこのように抽出し、例えば濾過によって、結果的に除去され得るセルロースから構造体を分離する。
【００８４】
したがって、液体媒体が、フィルター上に残るセルロースベースの残留物の少なくとも一部から、本発明の生成物を遊離することを意図した濾過ステップを、次に受けることは有利である。
【００８５】
一般に、本発明による染料は、建設的干渉による着色の効果に関与する植物材料から、構造を変性させることなく、イリジソームを単離することを可能にする方法によって調製される。
【００８６】
この方法の任意の変形形態によると、植物材料は、上記植物材料中に含まれるワックス状物質の一部を除去するために、抽出ステップ自体より前に、適切な方法によって処理される。植物材料のこの事前処理は、超臨界又は未臨界状態でＣＯ２を使用して実行できるので有利である。部分的に「ワックスを除いた」植物材料は、イリジソーム及び残留するワックス分画を収集するために、上述の通りの抽出ステップを、次に受ける。任意の事前処理ステップは、最終的に得られる染料中のイリジソーム及びワックス状物質のそれぞれの割合を改変することによって、事前処理をせずに得た生成物とは、視覚的な特性がかなり異なる染料を得ることを可能にする。
【００８７】
したがって、本発明は、着色される効果に関与するイリジソームを抽出する方法にも関するものであり、上記方法はイリジソームの構造を変性させない。
【００８８】
以下の開示に示される通り、イリジソームは、植物材料の補助的分画と組み合わせて抽出されてもよい。
【００８９】
当業者にとって既知の様々な手段、特に電子顕微鏡法又はＸ線蛍光分光法によって、植物の着色された組織中のイリジソームの存在を実証することができる。
【００９０】
本発明の好ましい一実施形態において、上記構造体を含む植物由来の着色された細胞組織は、液体媒体中で超音波を受け、このステップの結果は、空洞化によって形成される微小気泡の効果の下での植物細胞のホモジナイズである。
【００９１】
このように形成された微小気泡の効果の下で、着色に関与する構造体は、貯蔵されている植物細胞から、変性されることなく脱離する。
【００９２】
以前に開示された通り、組織の一部がイリジソームを含むある一定数の植物種が、文献において知られている。
【００９３】
植物のこれらの全ての部分は、本発明の染料を調製するために、本発明の方法を使用して処理できる。
【００９４】
したがって、ゴクラクチョウ科の植物種、特に植物種オオギバショウ、ホルトノキ科の植物種、例えばインドジュズノキ、ウコギ科の植物種、特に植物種デラルブレアミキエアナ、リュウビンタイ科の植物種、特に植物種ダナエアノドサ、コケシノブ科の植物種、特に植物種トリコマネスエレガンス、イワヒバ属の植物種の中の植物種、例えばグリーンファン、イワデシダ科の植物種、特に植物種ディプラジウムトメントスム、ホングウシダ科の植物種、特に植物種ヤエヤマホングウシダ、シュウカイドウ科の植物種、特に植物種ベゴニアパボニア、メラストラタケアエ科の植物種、特に植物種ピュッラガティスロトゥンディフォリアからなる群から、植物種が選択されることは有利である。
【００９５】
本発明の染料を調製するために選択される植物の部分は、もちろん、選択された植物種次第である。
【００９６】
したがって、植物材料は、植物の部分又は植物全体であり得るが、植物材料がイリジソームを含む着色された細胞組織を含む、又はその細胞組織から形成されるという条件で、果実の一部、種子の一部、若しくは葉の一部、又は果実全体、種子全体、若しくは葉全体から、特に構成され得る。
【００９７】
細胞組織は、干渉による着色される効果を有する植物の部分の表面細胞層、及び特に、植物の部分の外面の細胞層、例えば植物の表皮の細胞によって、好ましくは形成される。
【００９８】
組織は、例えば、非限定的に、果実の表皮、種皮、又は葉の表面組織によって形成され得る。
【００９９】
上述の出版物中でＬｅｅによって研究されたマレーシア熱帯雨林の植物については、組織は葉から形成される。
【０１００】
抽出が実行される液体媒体は、イリジソームが不溶であるが、イリジソームを単独で又は植物材料の分画と組み合わせて抽出することを可能にする溶媒又は溶媒の混合物から形成され、植物材料の分画自体は、超音波の影響下で、植物組織の構成的セルロースから分離される。
【０１０１】
植物組織の細胞のホモジナイズが実行される液体媒体の組成物が、植物組織の性質に従って選択され、植物材料の一部と場合により関連させて、着色された生成物を抽出するために、この選択が行われることを、当業者は容易に理解する。
【０１０２】
着色される効果に寄与しない、抽出の間に抽出されてしまう植物材料のいずれの部分も、得られる着色される効果を害すはずがなく、又は、本発明の染料の使用前の、上記染料の精製という少なくとも１つのステップの間に、結果的に除去することができるはずであることもまた、当業者は容易に理解する。
【０１０３】
以前に開示された通り、最終的に保持される部分は、本発明の意味における「補助的部分」又は「補助的分画」と区別なく表されるものを構成する。液体媒体は、好ましくはセルロースが不溶で、非変性である媒体であって、特にアルカリ、アセトン、酢酸エチル、植物精油、抽出溶媒として通常使用される液体アルカン、特にシクロヘキサン及びヘプタンの水溶液から選択される。
【０１０４】
これらの液体媒体は、セルロース支持体を攻撃しない限りにおいて、当業者が薄層を抽出する方法を実行するために使用する媒体から、特に選択できる。
【０１０５】
本発明の染料を得る方法が、植物残留物を除去し、場合によって、以前に定義した補助的分画の存在下で、着色される効果に関与する構造体（イリジソーム）を収集することを可能にするために、ホモジナイズステップの最後に回収される液体媒体が濾過されるステップを含むことも有利である。
【０１０６】
植物残留物の除去後、着色する植物構造体（本質的にイリジソームからなる）は、上記植物構造体を含んでもよいいずれかのタイプの組成物中で、色素として使用されることが可能な植物抽出物を形成するために、従来から使用されている手順に従って、収集され、精製される。
【０１０７】
第１の代替方法によると、このステップは、液体抽出媒体を形成する溶媒又は溶媒の混合物の直接除去によって実行される。
【０１０８】
第２の可能な実施態様によると、有機相からなる液体媒体を冷却し、冷水を添加する。着色する構造体は有機相から放出され、水相中に凝結する。次に、これらの着色する構造体を、濾過によって容易に収集する。
【０１０９】
次に、例えば上記染料を抽出した液体媒体を形成する溶媒（複数可）を除去することによって、染料を精製するステップを場合によって実行する。
【０１１０】
もちろん、当該植物材料の多様性を考慮して、上に定義された通りの抽出方法の広範な概要のみが与えられ得る。
【０１１１】
この方法は、着色された組成物、特に化粧品組成物中の色素として使用できる染料を提供するように、処理される植物材料によって、構成されねばならないことを、当業者は容易に理解する。
【０１１２】
以前に開示された通り、本発明の方法を実行するために使用する液体媒体によって、着色に関与する構造体ばかりでなく、補助的分画と名付けられた植物材料の１種又は複数のその他の物質を抽出することは、有利であり得る。
【０１１３】
これは特に、イリジソームが、植物種の着色された部分のワックス分画中に含まれる場合である。
【０１１４】
かかる場合、方法は、結果的に形成された化粧品組成物中に、適切な溶媒の混合物又はこの染料を直接使用する可能性とともに、着色に関与する構造体、すなわちワックス状、固体、又は糊状の形態であり得る染料、及びワックス状生成物を、同時に抽出するように、液体媒体として、適切な溶媒又は溶媒の混合物を選択することによって、方法は構成され得る。
【０１１５】
したがって、以下の詳細な説明に示される通り、本発明による好ましい染料を構成する植物種オオギバショウの種子の仮種皮から抽出された染料という特定の場合において、イリジソームが、植物のワックス状部分に含まれるという事実は有利である。
【０１１６】
オオギバショウ（タビビトノキ、ラウェナラウラニアスペキオサ（Ｒａｖｅｎａｌａ  Ｕｒａｎｉａ  ｓｐｅｃｉｏｓａ）、又はウラニアマダガスカリエンシス（Ｕｒａｎｉａ  ｍａｄａｇａｓｃａｒｉｅｎｓｉｓ）とも呼ばれる）は、隙間のある茎を有する草本であり、幹の高さは、成熟時で、およそ１０メートルであり、全長およそ２０メートルにまで達する。
【０１１７】
果実は、多数の種子を含む６室を有する非常に硬い朔果であり、各種子は仮種皮とも呼ばれる皮で囲まれ、鮮明な青色は、植物の中で極めて稀である。
【０１１８】
これらの仮種皮は、ほとんどまだ知られていないワックス状分画を、５０重量％近くまで含む。
【０１１９】
この特定の場合、方法が、青色着色に関与する構造体（イリジソーム）及びワックスを同時に抽出するように構成されることは有利である。
【０１２０】
好ましい実施例（植物種オオギバショウの種子の仮種皮）の場合において、以下の記載がなされる。それにもかかわらず、記載される方法は、イリジソームを含む部分がワックスも含む様々な植物に、直接適応させることができる。
【０１２１】
本発明のこの好ましい変形形態によると、植物種オオギバショウの種子の仮種皮から抽出された染料は、青色の色素である。
【０１２２】
具体的には、本発明のこの好ましい変形形態は、ゴクラクチョウ科に属する熱帯植物種であるオオギバショウ種の植物に由来する、着色された植物組織中のイリジソームの存在の実証に基づく。
【０１２３】
したがって、好ましい変形形態によると、本発明は、植物種オオギバショウの種子の仮種皮から形成される又は含む植物材料から得られる、着色された植物染料に関する。
【０１２４】
本発明の好ましい染料は、イリジソームを変性させることなく、種皮の細胞組織から、上記イリジソームを抽出することを可能にする方法に従って、調製される。
【０１２５】
このようにして得られた抽出物は、色が青色である。
【０１２６】
この染料を調製する方法のこの好ましい変形形態に従って、植物種オオギバショウの仮種皮によって形成される又は含む植物材料は、機械的撹拌及び／又は液体媒体中での超音波の適用によって形成される微小気泡の作用を受ける。
【０１２７】
ワックス状の性質を有するこれらの全ての植物材料のために、ホモジナイズ方法は、特に超音波の影響下、着色された生成物の形態でワックス状物質及び着色された構造体（イリジソーム）を抽出するために選択された液体媒体の存在下で、実行される。
【０１２８】
この方法の第１の有利な変形形態によると、選択された液体媒体は、ワックス状物質のための溶媒である。
【０１２９】
特に好ましい媒体は、アセトンである。
【０１３０】
有利な一変形形態によると、この方法は、特に液体媒体の冷却により、着色された生成物が沈殿するステップを含む。
【０１３１】
この変形形態によると、ワックスの放出を引き起こすために、液体有機媒体、特にアセトンに、水を添加し、その混合物を冷却する。次に、ワックスは凝結し、着色される色素を抽出する。
【０１３２】
次に、着色されたワックス抽出物を濾過し、洗浄し、乾燥させる。
【０１３３】
方法の別の特に有利な変形形態は、ワックス状物質を含む植物材料にも適用可能である。
【０１３４】
この変形形態は、完全な除去が時折難しい溶媒の使用を避けることを可能にするという点で、特に有利であることが判明する。
【０１３５】
この変形形態によると、液体媒体は、鹸化された形態のワックス状物質、及び着色された構造体を含む、着色された塩基性溶液を回収するために、ワックス状物質を鹸化することを可能にするアルカリ性媒体である。
【０１３６】
この場合、鹸化ステップを実行するために、好ましくはアンモニア水溶液を使用する。
【０１３７】
本発明の染料を含む着色された塩基性溶液からなる液体媒体は、ワックス状物質の凝結を引き起こすために、酸性溶液での洗浄ステップを、次に受ける。
【０１３８】
この第２のタイプの方法は、本発明の染料を含む着色されたワックスを抽出することを、本質的に目的とする。
【０１３９】
ワックスは、塩基性溶液の作用下で鹸化される場合、超微細構造体の抽出を容易にすることを可能にする。
【０１４０】
したがって、着色されたワックスは、この方法による２つの段階、
塩基性溶液が、ワックス／濾過された着色された化合物「複合体」を抽出する第１段階、及び
先行するステップの塩基性媒体が、沈殿のときに着色される現象に関与する薄層を抽出する、酸性媒体中で不溶の、ワックス状物質を含む「複合体」生成物を沈殿させるために、有機酸、例えば酢酸で酸性化される（この複合体はその後洗浄され、次に濾過及び乾燥される）第２段階
において得られる。
【０１４１】
植物種オオギバショウの場合、ワックスに富んだ仮種皮が、ワックスと同時にイリジソームを抽出することを可能にする方法に従って、好ましくは処理され、好ましくは、仮種皮は、アンモニア水溶液中で超音波で処理される。好ましくは、水１リットルにつき２０％（２２°Ｂｅ）のアンモニア水１ｍｌを使用し、温度はおよそ６０℃で１０分間維持される。この抽出は、１回反復することができる。ワックスを鹸化し、ワックスと同時にイリジソームを抽出する。液体を濾過し、酢酸で中和する。
【０１４２】
上述の酸性化ステップの間に、沈殿し、回収を容易にするワックス薄片のサイズの調整を可能にする、４、さらには４より低い領域の値にｐＨを調整するように、酢酸の量が構成されることは有利である。
【０１４３】
沈殿したワックス状の青色の塊を濾過し、塊をフィルター上ですすぎ、適度な温度で乾燥させる。
【０１４４】
この方法の任意の変形形態によると、オオギバショウの仮種皮は、抽出自体の前に、超臨界又は未臨界の状態でＣＯ２を使用して、処理される。
【０１４５】
本発明の別の主題は、本発明の染料を含むことが可能な着色された組成物中での、色素としての本発明の染料の使用に関する。
【０１４６】
したがって、本発明は、色素として作用する、上に定義された通りの染料の分散系を含む、着色された組成物、特に化粧品組成物に関する。
【０１４７】
組成物は、着色剤が、その他の化合物によって着色剤の特定の構造を変性させられることなく、着色する特性を保持する組成物として定義される。
【０１４８】
化粧品分野において、この組成物は、例えば美容液、化粧水、手入れ用クリームなどの乳液、美顔用パックなどのヒドロゲル、又はマスカラ、ファンデーション、アイシャドー若しくはアイライナー、口紅、又は美容パッチの形態であってもよい。
【０１４９】
好ましい組成物は、脂肪性アジュバント、さらには非水性又は本質的に水を含まないアジュバントを含む組成物である。
【０１５０】
本発明の染料を含む化粧品組成物が、少なくとも１種の美容的に受容可能な活性剤、及び少なくとも１種の美容的に受容可能な賦形剤を含むことは有利である。
【０１５１】
着色された化粧品組成物は、皮膚の手入れ用製品であってもよく、着色する化粧品組成物は、皮膚又は体表成長部をメーキャップするための製品である。
【０１５２】
本発明による着色剤を含む着色された化粧品組成物は、皮膚上での脱色素作用又は明るくする作用を有する物質、痩身作用を有する物質、潤いを与える作用を有する物質、落ち着きを与え、鎮静し、又はリラックスさせる作用を有する物質、皮膚の色、特に顔の光輝を向上させるために、皮膚の微小循環を刺激する作用を有する物質、脂っぽい皮膚の手入れのための皮脂調節作用を有する物質、皮膚を洗浄又浄化することを意図した物質、フリーラジカル捕捉作用を有する物質、皮膚の構造の維持を増進すること、並びに／又は真皮及び表皮の表面層の細胞外マトリックスの分解を制限すること、並びに／又は皮膚上の保護、矯正、若しくは再構成する効果を得ることを目的とする作用を通じて、皮膚の加齢効果、特にしわの形成を低減又は遅延することを意図した物質、抗炎症作用を有する物質から選択される、少なくとも１種の美容的な活性剤を含んでもよい。
【０１５３】
本発明による染料に加えて、組成物が、色素、真珠層、染料製品、ポリマー、界面活性剤、レオロジー剤、香料、電解質、ｐＨ改変剤、抗酸化剤、保存料、及びそれらの混合物から選択される、少なくとも１種の賦形剤を含むことができることは有利である。
【０１５４】
本発明の染料は、化粧品組成物、特に皮膚又は体表成長部をメーキャップすることを意図した化粧品組成物中の色素として、特に有用である。
【０１５５】
本発明は、本発明の染料を含むことができる着色された又は着色する組成物、とりわけ化粧品組成物、特に皮膚又はまつげなどの体表成長部をメーキャップすることを意図した組成物における、着色剤としての、植物種オオギバショウの種子の仮種皮から調製される本発明の染料の使用にも、特に好ましくは関する。
【０１５６】
化粧品組成物の場合、ワックスの存在によって有利になり得ること、及び、この場合、着色された生成物の残りからワックスを分離する必要がないことが、注目される。特に、オオギバショウの仮種皮の場合、収集されたワックスは、非常に微細であり、ある一定の組成物、特に化粧品組成物にとって魅力的であることが判明し得る。
【０１５７】
本発明の組成物中に含まれる染料の量が、組成物のタイプ及び所望の効果に大きく依存することを、当業者は容易に理解する。
【０１５８】
一般に、とりわけ化粧品分野において、本発明の染料は、着色された組成物又は着色する組成物のいずれかを得るために使用されてもよい。これらの２つのタイプの組成物中の染料の量は、必然的に異なり、もちろん、この染料の性質次第であることを、当業者は理解する。
【０１５９】
例として、より具体的には化粧品分野において、組成物、例えば、目的が皮膚を着色することではない、美容手入れ用組成物を着色しようとすることが可能である。
【０１６０】
特に、オオギバショウ植物の仮種皮から抽出された鮮明な青色の染料の使用の場合、クリームなどの白色の手入れ用組成物中に、青みを帯びる効果を得るのにちょうど十分であるこの染料の量を、当業者が選択することは可能である。
【０１６１】
機能が、着色する組成物、特にメーキャップを意図した組成物を得る目的のために、皮膚又は体表成長部を着色することである、化粧品組成物を着色することも可能である。
【０１６２】
染料がオオギバショウ種の種子の仮種皮から得られる特定の場合、この染料は、脂肪相を含む、皮膚又は体表成長部を着色することを意図した組成物中で、好ましくは使用される。この組成物は、例えば、マスカラ又は口紅である。
【０１６３】
本発明は、皮膚又は体表成長部の少なくとも一部への上述の組成物の適用を含む、皮膚又は体表成長部、特にまつげ、毛髪、若しくは爪をメーキャップする方法にも関する。
【実施例】
【０１６４】
実施例１：オオギバショウの種子の仮種皮からの、着色されたワックスの形態での、本発明の染料の調製
以下のステップに従って、本発明による染料を調製する。
１．  ２０％（２２°Ｂｅ）のアンモニア水２ｍｌを添加した浸透水２リットルと一緒に、４個の圧電装置（＝４００Ｗ）を備えた超音波抽出器のタンク内に、オオギバショウの種子の仮種皮１００ｇを入れる。
２．  植物細胞のホモジナイズを実行するために、超音波処理を実施する（植物材料を超音波にさらすこと）。周波数２７ｋＨｚで、５５℃（出発温度）でおよそ１０分間、上記超音波処理を実行する。この作業の間、温度の顕著な変化は起こらない（超音波の空洞化効果は、自発的な冷却に起因する損失を補償する温度の上昇を引き起こす）。
３．  このステップの後、セルロース残留物を主に除去するために、篩又はスクリーン印刷用の布上で、第１の濾過を実行する。水性濾過物は、鹸化したワックスを含み、青色の乳状の形態である。
４．  フィルターによって保持された仮種皮を回収し、上に特定した条件と同じ条件下（時間、温度、アンモニア水の割合等）で、超音波処理を反復する。
５．  このさらなる超音波処理作業の水相の濾過の後で、濾過されたジュースを組み合わせる。
６．  次に、７５％の酢酸９ｍｌを添加することによって、このように得られた水相を、およそｐＨ４まで酸性化する。効果は速効性であり、色、ワックスが、一緒に青色の色素を抽出して凝結し、冷却と同時に沈着する。
７．  冷蔵庫（温度およそ４℃）内で、過程を加速させる。上澄み水を除去し、形成した微量の酢酸アンモニウム及び残留する酸を除去するために、浸透水によってワックス状の青色の沈殿物を２回洗浄する。
８．  次に、ジョセフ紙タイプの紙フィルター上での濾過によって、まだ冷たいワックス状の青色の沈殿物を回収する。濾液は透明である。
９．  できるだけたくさんの水を除去するために、２５℃で青色のワックスを保持するフィルターを乾燥させる。
【０１６５】
この方法は、出発仮種皮１００ｇにつき、着色されたワックスおよそ３０ｇを得ることを可能にする。
【０１６６】
この着色されたワックスは、本発明による染料を構成する。着色されたワックスの色は、鮮明な青色である。
【０１６７】
本発明の組成物を着色するために、色素又は着色剤として、着色されたワックスを使用してもよい。
【０１６８】
実施例２：オオギバショウの種子の仮種皮からの、着色されたワックスの形態での、本発明の染料を調製する方法
上の実施例１に記載された方法とは異なる方法に従って、酢酸エチル又はアセトンによって、オオギバショウの種子の仮種皮を覆い、次に、実施例１のタイプの超音波抽出器タンク内に全体を入れる。次に、細胞ホモジナイズを実施するために、植物材料が消耗するまで、周波数およそ２７ｋＨｚで数分間、全体は超音波作用を受け、次に抽出物を濾過する。超音波処理はおよそ１０分間続く。放出されたワックスは、有機溶媒中に溶解する。
【０１６９】
次に、このように得られた有機相に、有機相の半量の水を追加する。水の添加はワックスの放出を引き起こし、その瞬間から、ワックスは、一緒に青色の色素を抽出して、水相中に凝結する。次に、凝結した着色されたワックスを含む水相を、沈降によって分離する。
【０１７０】
青色の染料によって、この水相を濃縮するために、以下の手順を実行する。
【０１７１】
以前に記載された通り、新規の仮種皮での抽出を実行する。超音波処理の後に得られた有機相を濾過し、次に、前に保存した水相に添加する。凝結状態で水相中に含まれる着色されたワックス状抽出物を、このように濃縮し、その色はより鮮明になる。常に同じ水相によって、作業を４回まで反復することができる。
【０１７２】
この濃縮ステップの最後に、「ジョセフ紙」と呼ばれる市販の紙などの、特別に薄い紙の上での濾過によって、水相から着色されたワックスを分離する。
【０１７３】
この場合、実施例１の方法で得られた色より、はるかに鮮明な色を有するワックス状残留物が得られることが観察される。特にワックスのかなりの部分が、溶媒中に溶解して残るので、この残留物は、青色の色素中に、実際、より濃縮されており、一方、全ての青色の色素は、凝結したワックス中に、実質的に抽出された。
【０１７４】
最後に、このように得られた着色されたワックス状残留物は、蒸散によって、溶媒及び水残留物を含まない。
【０１７５】
記載された方法の最後に得られたこの非常に鮮明に着色されたワックス状残留物は、本発明による染料を構成する。
【０１７６】
実施例３：本発明による色素を含む抗加齢化粧品組成物
皮膚の加齢の防止のための水中油型乳液、すなわち下に記載される配合物の油相に、実施例１に従って得られた染料を添加する。
【０１７７】
パーセントは、最終組成物に対する重量により表される。
ツボクサ（Ｃｅｎｔｅｌｌａ  ａｓｉａｔｉｃａ）植物抽出物          ０．１
実施例１による青色の染料                                          ２
界面活性剤（アラセル（Ａｒｌａｃｅｌ）（登録商標）１６５ＶＰ）      ５
９５％セチルアルコール                                            １
ステアリルアルコール                                              １
蜜ロウ                                                            １．５
油（パーリーム（Ｐｅｒｌｅａｍ）（登録商標））                      ８．５
トリカプリン酸／カプリル酸グリセリド                              ３
シリコーン油（ジメチコーン１００ＣＳ）                            １
ポリマー（ケルトロール（Ｋｅｌｔｒｏｌ）（登録商標））              ０．３５
水酸化ナトリウム                                                  ０．０４
エチレンジアミン四酢酸四ナトリウム粉末                            ０．１
保存料                                                            ０．５
水                                                            １００になる適量
【０１７８】
組成物は、青みがかった色の抗加齢クリームであり、クリームの作用は、皮膚の加齢の徴候を防止又は鈍化させることを目的とする。
【０１７９】
実施例４：本発明による染料を含む化粧品メーキャップ組成物
下に記載されるマスカラ配合物の脂肪相に、実施例１に従って得られた染料を添加する。
実施例１による青色の染料                                          １０
Ｃ１８〜３６トリグリセリド                                        ９．９
ステアリン酸グリセリル                                            １２．０
その他の染料                                                      ９．５
蜜ロウ                                                            ４．６
カルナウバロウ                                                    ２．２
トリエタノールアミン                                              １．９
シェラック                                                        １．９
ステアリン酸                                                      １．９
パルミチン酸                                                      １．９
水素化ロジン酸グリセリル                                          １．５
ＰＶＰ／ＶＡコポリマー                                            ０．９５
レシチン                                                          ０．９５
保存料                                                            ０．６
キサンタンガム                                                    ０．４
フェノキシエタノール                                              ０．２
加水分解ケラチン                                                  ０．１５
エチレンジアミン四酢酸四ナトリウム                                ０．０５
香料                                                              適量
水                                                            １００になる適量
【０１８０】
このように得られたマスカラは、鮮明な青色である。